(57)【特許請求の範囲】
【請求項１】
枠本体と、該枠本体の左右に間隔を置いて前方に突設され、ポケットの内布の一部を掛止しながらポケットの奥方向に押し退ける一対の下アームと、ポケットの外布又はポケットの周囲の布地を前記内布とは相対的に反対方向に引き寄せた状態で前記下アーム上に押さえて保持する押え部材とを備えたミシンのポケット枠において、
前記ポケット、その周囲の布地又は該ポケットの付属品を逃がすための逃がしスペースを前記押え部材の後方に設けたことを特徴とするミシンのポケット枠。
【請求項２】
枠本体と、該枠本体の左右に間隔を置いて前方に突設され、ポケットの内布の一部を掛止しながらポケットの奥方向に押し退ける一対の下アームと、ポケットの外布又はポケットの周囲の布地を前記内布とは相対的に反対方向に引き寄せた状態で前記下アーム上に押さえて保持する押え部材とを備えたミシンのポケット枠において、
前記押え部材は、前記枠本体の上面に前後回動可能に軸支された上アームの先端部に設けられたことを特徴とするミシンのポケット枠。
【請求項３】
ポケットの外布の裏側に当てられる補強用シート材を、前記一対のアームの間に仮保持する仮保持手段を前記枠本体に設けた請求項１又は２記載のミシンのポケット枠。
【発明の詳細な説明】
【０００１】
【発明の属する技術分野】
本発明は、ポケットの外布に縫製加工するためのミシンのポケット枠に関するものである。
【０００２】
【従来の技術】
図７及び図８は、従来のポケット枠５０を示しており、該ポケット枠５０は、ミシンの駆動枠（図示略）に装着される枠本体５１と、該枠本体５１の左右に間隔を置いて前方に突設され、ポケットＰの内布Ｒの一部Ｒａを掛止しながらポケットＰの奥方向に押し退ける一対の下アーム５２と、ポケットＰの外布Ｑを内布Ｒとは相対的に反対方向に引き寄せた状態で下アーム５２上に保持する保持手段５３とを備えている。
【０００３】
下アーム５２の先端部には、ポケットＰの内布Ｒの一部Ｒａを掛止する凹部５４が設けられている。保持手段５３は、枠本体５１の上面に水平面内において回動可能に軸支された上アーム５５と、該上アーム５５の先端部に設けられ、ポケットＰの外布Ｑを押さえる押え部材５６とを備えている。上アーム５５は、長手板状に形成された弾性材よりなり、下アーム５２を押さえる方向に弾性力を発揮するように設けられている。
【０００４】
このポケット枠５０は、ポケットＰの外布Ｑの開口縁部Ｑａの両端を一対の下アーム５２及び押え部材５６で挟持し、外布Ｑの開口縁部Ｑａの中央に縫製加工するようになっている。
【０００５】
このポケット枠５０にポケットＰを張設するには、まず、図７に二点鎖線で示すように上アーム５５を枠本体５１の外側に向けて回動させておく。次いで、下アーム５２の凹部５４にポケットＰの内布Ｒの一部Ｒａを掛止するとともに、ポケットＰの外布Ｑを下アーム５２の基端側の上面に手で引き寄せる。すると、ポケットＰの内布Ｒの一部ＲａがポケットＰの奥方向に押し退けられるとともに、ポケットＰの外布Ｑが該内布Ｒとは相対的に反対方向に引き寄せられた状態となる。次いで、一方の手でポケットＰの外布Ｑをこの状態に保持しておき、他方の手で上アーム５５を上方に持ち上げて回動させることにより、押え部材５６が下アーム５２の上面を押さえる位置に移動させた後、該上アーム５５を離すと、図７に示すようにポケットＰがポケット枠５０に保持される。
【０００６】
【発明が解決しようとする課題】
ところが、従来のポケット枠５０では、外布Ｑの端部に縫製したり、ポケットＰの開口付近にファスナー等の付属品が設けられた外布Ｑに縫製したりすることについては考慮されていなかった。このため、このような縫製加工をするためにポケットＰを従来のポケット枠５０に張設しようとすると、外布Ｑの端部付近にあるポケットＰの周囲の布地や前記付属品が邪魔になり、押え部材５６で縫製加工範囲の周囲をうまく押さえることができないという問題がある。
【０００７】
また、ポケット枠５０にポケットＰを張設するときは、上アーム５５を上方に持ち上げて回動させるという動作と、押え部材５６が下アーム５２の上面を押さえる位置において上アーム５５を離すという動作との２つの動作をそれぞれの上アーム５５について他方の手で行わなければならず、作業が面倒であった。
【０００８】
また、薄い生地よりなる外布Ｑに縫製するときは、縫製による布地の縮みを防止するために外布Ｑの裏側に補強用シート材を貼り付けなければならず、作業が面倒であった。
【０００９】
本発明の第一の目的は、上記課題を解決し、外布の端部に縫製したり、ポケットの開口付近にファスナー等の付属品が設けられた外布に縫製したりする場合でも、ポケットを確実に保持することができるミシンのポケット枠を提供することにある。
【００１０】
本発明の第二の目的は、ポケットを簡単に張設することができるミシンのポケット枠を提供することにある。
【００１１】
本発明の第三の目的は、薄い生地よりなる外布に縫製するときに、補強用シート材を外布の裏側に簡単に配設することができるミシンのポケット枠を提供することにある。
【００１２】
【課題を解決するための手段】
上記目的を達成するために、本発明のミシンのポケット枠は、枠本体と、該枠本体の左右に間隔を置いて前方に突設され、ポケットの内布の一部を掛止しながらポケットの奥方向に押し退ける一対の下アームと、ポケットの外布又はポケットの周囲の布地を前記内布とは相対的に反対方向に引き寄せた状態で前記下アーム上に押さえて保持する押え部材とを備えたミシンのポケット枠において、前記ポケット、その周囲の布地又は該ポケットの付属品を逃がすための逃がしスペースを前記押え部材の後方に設けたことを特徴としている。
【００１３】
前記ポケットの付属品としては、特に限定されないが、ファスナー、ボタン、フラップ、飾り物（エンブレム、バッジ、リボン等）等を例示できる。
【００１４】
また、本発明のミシンのポケット枠は、枠本体と、該枠本体の左右に間隔を置いて前方に突設され、ポケットの内布の一部を掛止しながらポケットの奥方向に押し退ける一対の下アームと、ポケットの外布又はポケットの周囲の布地を前記内布とは相対的に反対方向に引き寄せた状態で前記下アーム上に押さえて保持する押え部材とを備えたミシンのポケット枠において、前記押え部材は、前記枠本体の上面に前後回動可能に軸支された上アームの先端部に設けられたことを特徴としている。
【００１５】
上記ミシンのポケット枠においては、ポケットの外布の裏側に当てられる補強用シート材を、前記一対のアームの間に仮保持する仮保持手段を前記枠本体に設けた態様を例示できる。
【００１６】
【発明の実施の形態】
図１〜図５は本発明を具体化した第一実施形態のミシンのポケット枠１を示しており、該ポケット枠１はミシンの駆動枠２に装着され、ミシンテーブル（図示略）上で前後左右に駆動されるようになっている。このポケット枠１は、図１に示すように駆動枠２にネジ３で固定される装着部４と、該装着部４に対して着脱可能に取り付けられる枠本体５とを備えている。
【００１７】
装着部４は、その前面及び上面に開口した略矩形の凹部４ａと、前方かつ該凹部４ａの上方に延びる押え板８とを備えている。凹部４ａの奥壁には永久磁石６が埋設されており、凹部４ａの底壁には凸部７が設けられている。
【００１８】
枠本体５は、強磁性体材料よりなるベース部１０と、該ベース部１０の前部に左右に相対移動可能に設けられた可動部１５とを備えている。ベース部１０の後部には、該後部を上下に貫通した穴１１と、その後端から上方に向けて折曲形成された被吸着部１２と、該被吸着部１２の上端から前方に向けて折曲形成された被押え部１３とを備えている。
【００１９】
枠本体５は、ベース部１０の被吸着部１２が装着部４の永久磁石６に吸着され、ベース部１０の穴１１に装着部４の凸部７を嵌合されるとともに、該嵌合が外れないように押え板８で被押え部１３が押さえられた状態で、装着部４に装着されるようになっている。このように、ポケット枠１は、装着部４より先端側の部分をワンタッチで交換できるように構成されており、ポケットＰの形状や布厚等に応じて先端側の部分を最適なものに簡単に交換できるようになっている。
【００２０】
可動部１５には、左右に延びる長孔１５ａが形成されており、該長孔１５ａには、ベース部１０の前部の上面に立設された雄ネジ部１０ａが挿通されている。そして、雄ネジ部１０ａに螺合されたナット１６によりベース部１０に可動部１５が取り付けられている。
【００２１】
ベース部１０及び可動部１５には、それぞれ、ミシンのベッド１７の上方に延びる固定下アーム２０及び可動下アーム２１が一体に形成されており、ベース部１０に対して可動部１５を相対的に左右移動させることにより、ポケットＰの大きさや形状等に応じて両下アーム２０、２１の間隔を調節できるようになっている。各下アーム２０，２１は、その先端部が他方のアームに近づく方向に延設されている。そして、この延設部の他方のアーム側かつ後側が上方かつ前方に折曲されることにより、左右方向に延びる凹溝２２が形成されている。この下アーム２０，２１は、掛止部としての凹溝２２でポケットＰの開口側の内布Ｒを外れないように掛止しながらポケットＰの奥方向に押し退けておくようになっている。各下アーム２０，２１の上面には、滑り止め手段として粘着剤２３を付着させている。また、ベース部１０及び可動部１５の各下アーム側の側部には、それぞれ上方に向けて側壁２４が折曲形成されている。この側壁２４の前端縁には略矩形の凹部２５が設けられている。
【００２２】
ベース部１０及び可動部１５の上面側には、ポケットＰの外布Ｑ又はポケットＰの周囲の布地Ｓを内布Ｒとは相対的に反対方向に引き寄せた状態で下アーム２０，２１上に保持する保持手段２６がそれぞれ設けられている。
【００２３】
保持手段２６は、ベース部１０及び可動部１５の側壁２４から互いに向き合う方向に延設された横軸２７と、該各横軸２７にそれぞれ前後回動可能に軸支された操作レバー２８及び上アーム２９と、該上アーム２９の先端部の下側に前後揺動可能に設けられた、ポケットＰの外布Ｑ又はポケットＰの周囲の布地Ｓを押さえる押え部材３０と、該上アーム２９の基端側がコイル状に形成されてなり、横軸２７に嵌められるとともにその反上アーム２９側端部が操作レバー２８に掛止された付勢部材としてのバネ部３１とを備えている。
【００２４】
操作レバー２８は、該操作レバー２８をその上面が略水平になるところまで前方に回動させた位置で側壁２４の凹部２５の上縁に係合し得る上向きの係合爪３２と、該操作レバー２８を持ち上げて後方に回動させると、操作レバー２８の先端部が枠本体５から上方に浮いた状態でベース部１０又は可動部１５の上面に当接し、操作レバー２８の回動を停止させるストッパ部３３とを備えている。
【００２５】
押え部材３０は、その下面側に、滑り止め部材３４が配設されている。滑り止め部材３４としては、特に限定されないが、軟質樹脂（スポンジ状に発泡させたものを含む）、ゴム等を例示できる。
【００２６】
押え部材３０の後方かつ下アーム２０，２１の上側には、下アーム２０，２１を押さえる位置に押え部材３０を配した状態において、ポケットＰ、その周囲の布地又は該ポケットＰの付属品を逃がすための逃がしスペース３５を設けている。この逃がしスペース３５は、上アーム２９の押え部材３０後方部分を略山形に折曲形成することにより、該部分の下側にスペースを形成するとともに、押え部材３０の後端部と側壁２４の前端との間のスペースを広く確保することにより形成している。
【００２７】
次に、このポケット枠１の使い方の一例を順に説明する。具体的には、ポケットに向かって左側（特に断らない限り、ポケットの方向をいうときは、ポケットに向かって見たときの方向をいう。）の端部に縫製加工する場合を例にとる。まず、ポケットＰをポケット枠１に装着するときは、図２及び図３に示すように操作レバー２８をストッパ部３３によって回動が停止される位置まで後方に倒し、押え部材３０を下アーム２０，２１の上面から上方に離れた位置に移動させる。このとき、同図に示すようにバネ部３１を介して操作レバー２８に結合された上アーム２９及び押え部材３０が前方かつ斜め上方に延びる位置になるが、この位置では、操作レバー２８と上アーム２９及び押え部材３０とが後方に回動するようにバランスされている。このため、外力が加わらない限りこれらが前方に回動することはない。
【００２８】
次いで、図２に二点鎖線で示すように、ポケットＰの開口側の内布Ｒを折り曲げるとともに、該折り曲げた内布Ｒの一部Ｒａを凹溝２２に掛止する。そして、ポケットＰの左側の布地Ｓと、ポケットＰの右側の外布Ｑの開口縁部Ｑａとをそれぞれ下アーム２０，２１の上方に引き寄せると、ポケットＰの開口側の内布ＲがポケットＰの奥方向に押し退けられる。
【００２９】
次いで、縫製加工範囲Ａを両下アーム２０，２１の中間に位置させるとともに、該縫製加工範囲Ａが弛み無く張った状態にし、縫製加工範囲Ａの左右の布地を各下アーム２０，２１の上面に押し付けて、粘着剤２３により粘着保持させる。このとき、ポケットＰの左側の布地Ｓが固定下アーム２０の基端側に余った状態となるが、この布地Ｓは逃がしスペース３５に寄せておく。次いで、操作レバー２８を前方に倒す。このとき、バネ部３１及び上アーム２９を介して操作レバー２８に結合された押え部材３０が縫製加工範囲Ａの左右の布地に当接する。さらに操作レバー２８を前方に倒すと、バネ部３１のバネ力によって押え部材３０が該布地を押え付ける。そして、操作レバー２８の係合爪３２を側壁２４の凹部２５に係合させると、図４及び図５に示すように押え部材３０が該布地を押さえた状態となる。こうして、ポケットＰがポケット枠１に張設される。
【００３０】
また、ポケットＰをポケット枠１から取り外すときは、操作レバー２８の係合爪３２を側壁２４の凹部２５から外し、ストッパ部３３によって回動が停止される位置まで操作レバー２８を後方に倒す。
【００３１】
このように構成されたミシンのポケット枠１によれば、ポケットＰ、その周囲の布地Ｓ又は該ポケットＰの付属品を逃がすための逃がしスペース３５を押え部材３０の後方かつ下アーム２０，２１の上側に設けているので、外布Ｑの端部に縫製したり、ポケットＰの開口付近にファスナー等の付属品が設けられた外布Ｑに縫製したりする場合、ポケットＰの周囲の布地Ｓや付属品を逃がしスペース３５に逃がすことができる。このため、このような場合でも、ポケットＰを確実に保持することができる。
【００３２】
また、押え部材３０は、枠本体５の上面に前後回動可能に軸支された上アーム２９の先端部に設けられているので、操作レバー２８を前方に倒し、操作レバー２８の係合爪３２を凹部２５に係合させるという非常に簡単なワンタッチ操作で押え部材３０で縫製加工範囲Ａの左右を押さえることができる。このため、ポケットＰを簡単に張設することができる
【００３３】
次に、図６は第二実施形態のミシンのポケット枠４０を示しており、該ポケット枠４０は、ポケットＰの外布Ｑの裏側に当てられる補強用シート材（例えば、不織布）４１を、一対の下アーム２０，２１の間に該アームの上面と略平行な状態で仮保持する仮保持手段を前記枠本体に設けた点においてのみ第一実施形態と相違している。
【００３４】
仮保持手段は枠本体５の上面にネジ止めされた弾性材製の押え板４２よりなる。押え板４２の先端部４２ａは、補強用シート材４１を差し込み易くするために上方に少し上方に曲げ起こされている。そして、差し込まれた補強用シート材４１を枠本体５の上面と押え板４２の下面との間に挾持することによって仮保持するようになっている。
【００３５】
本実施形態によれば、第一実施形態の効果に加え、薄い生地よりなる外布Ｑに縫製するときに、補強用シート材４１を外布Ｑの裏側に簡単に配設することができる。
【００３６】
なお、本発明は前記実施形態の構成に限定されず、例えば以下のように、発明の趣旨から逸脱しない範囲で適宜変更して具体化することもできる。
（１）上アーム２９を板材で形成すること。
（２）上アーム２９の逃がしスペース３５を形成する湾曲部の形状を適宜変更すること。特に限定されないが、円弧状、矩形状等にすることを例示できる。
【００３７】
（３）上アーム２９とバネ手段としてのバネ部３１とを別体に形成すること。
（４）下アーム２０，２１上面に滑り止め手段として、粘着剤２３に代えて表面に凹凸を設けること（例えば、ローレットでぎざみ目を付ける）、又は、滑り止め手段を設けないこと。
【００３８】
（５）押え部材３０と上アーム２９とを一体に形成すること。
（６）下アーム２０，２１の上面に凹部を形成することにより、逃がしスペース３５を拡張すること。
【００３９】
（７）上アーム２９が水平面内において回動するタイプにすること。
（８）第二実施形態における仮保持手段として、押え板４２に代えて枠本体５の上面に補強用シート材４１を粘着保持するための粘着剤を付着させること。
【００４０】
【発明の効果】
以上詳述したように、請求項１の発明に係るミシンのポケット枠によれば、外布の端部に縫製したり、ポケットの開口付近にファスナー等の付属品が設けられた外布に縫製したりする場合でも、ポケットを確実に保持することができるという優れた効果を奏する。
【００４１】
また、請求項２の発明に係るミシンのポケット枠によれば、ポケットを簡単に張設することができる。
【００４２】
上記効果に加え、請求項３の発明に係るミシンのポケット枠によれば、薄い生地よりなる外布に縫製するときに、補強用シート材を外布の裏側に簡単に配設することができる。
【図面の簡単な説明】
【図１】本発明を具体化した第一実施形態のミシンのポケット枠を示す斜視図である。
【図２】同ポケット枠にポケットを張設する前の状態を示す平面図である。
【図３】図２のＩＩＩ−ＩＩＩ線断面図である。
【図４】同ポケット枠にポケットを張設した後の状態を示す平面図である。
【図５】図４のＶ−Ｖ線断面図である。
【図６】本発明を具体化した第二実施形態のミシンのポケット枠を示す平面図である。
【図７】従来のミシンのポケット枠を示す平面図である。
【図８】図７のＶＩＩＩ−ＶＩＩＩ線断面図である。
【符号の説明】
１    ポケット枠
５    枠本体
２０    固定下アーム
２１    可動下アーム
２６    保持手段
２９    上アーム
３０    押え部材
３５    逃がしスペース
４０    ポケット枠
４１    補強用シート材
４２    仮保持手段としての押え板
Ａ    縫製加工範囲
Ｐ    ポケット
Ｑ    ポケットの外布
Ｑａ  開口縁部
Ｒ    ポケットの内布
Ｒａ  ポケットの内布の一部
Ｓ    ポケットの周囲の布地
【図１】
0004267767.tif 000002
【図２】
0004267767.tif 000003
【図３】
0004267767.tif 000004
【図４】
0004267767.tif 000005
【図５】
0004267767.tif 000006
【図６】
0004267767.tif 000007
【図７】
0004267767.tif 000008
【図８】
0004267767.tif 000009